(57)【要約】      （修正有）【課題】取り付けが容易に行える、ラック上等からの物品の落下を防止できる物品落下防止用ベルトの提供。【解決手段】ベルト部３と、ベルト部３の両端に付設される取り付け部材５とからなる物品落下防止用ベルト１であり、取り付け部材５それぞれの裏面にマグネットを備え、マグネットが物品収納体の磁性体面それぞれに吸着することで取り付け使用される。【選択図】図１
0003222425.tif 000002
【実用新案登録請求の範囲】
【請求項１】
ベルト部と、前記ベルト部の両端に付設される一対の取り付け部材とからなる物品落下防止用ベルトであり、
前記取り付け部材それぞれの裏面にマグネットを備え、
前記マグネットが物品収納体の磁性体面それぞれに吸着することで取り付け使用されることを特徴とする物品落下防止用ベルト。
【請求項２】
前記取り付け部材に、前記磁性体面から離脱させる際に使用する指かけ部および、またはリングを備える請求項１記載の物品落下防止用ベルト。
【請求項３】
前記磁性体面が角柱の１側面であり、前記ベルト部が前記取り付け部材の近傍位置において前記角柱の角部を巻いて当接するように用いられる請求項１または２記載の物品落下防止用ベルト。
【考案の詳細な説明】
【技術分野】
【０００１】  この考案は、倉庫のラック（棚）等において使用される物品落下防止用ベルト関する。
【背景技術】
【０００２】  倉庫内等においてはラックが並設されてそこに多くの物品が載置収納されるが、地震発生時等においてはラック上の物品が荷崩れして落下する恐れがあり、物品が破損するとともにその収納状態の修復に手間がかかり、さらに、作業者が落下物品の衝突により死傷する問題が発生する。また、最近ではラックの下面を支持して自動搬送を行う搬送ロボットの使用が開始されており、その搬送の際にラックが他の物品に衝突する等して衝撃を受けた場合にはラック上の物品が荷崩れして落下し、上記と同様の問題が発生すると考えられる。
【考案の概念】
【考案が解決しようとする課題】
【０００３】  現在提供されている物品の落下を防止するベルトは、両端の係止用金具をラックの柱に係止して取り付けるようになっており、その取り付けに手間がかかり、また、柱に係止部がない場合は使用できない問題があった。
【０００４】  この考案は上記の事情に鑑みて行ったもので、取り付けが容易に行えるラック上等からの物品の落下を防止できる物品落下防止用ベルトを提供する。
【課題の解決手段】
【０００５】  この考案では、ベルト部と、ベルト部の両端に付設される一対の取り付け部材とからなる物品落下防止用ベルトであり、取り付け部材それぞれの裏面にマグネットを備え、マグネットが物品収納体の磁性体面それぞれに吸着することで取り付け使用されることを特徴とする物品落下防止用ベルトを提供する。
【０００６】  上記構成の物品落下防止用ベルトは、取り付け部材のマグネットが吸着して取り付けられることで、係止部が無いラックの柱等に容易に取り付けられて使用される。この考案の物品落下防止用ベルトは、倉庫や工場のラック、さらにはコンビニエンスストアのラック等において広く用いられ、さらに、搬送ロボットにより搬送移動されるラックにおいて有効に用いられる。
【０００７】  取り付け部材に、磁性体面から離脱させる際に使用する指かけ部および、またはリングを備える構成とすることで、指かけ部もしくはリングに指をかけ引っ張ることで容易に取り外せ、また、指かけ部とリングとの両方に指をかけて引っ張ることで、大きな力によって容易に取り外せるとともに、取り外した後に取り付け部材が手から離脱することが回避でき、取り扱いが容易に行われる。
【０００８】  上記磁性体面が角柱の１側面であり、ベルト部が取り付け部材の近傍位置において角柱の角部を巻いて当接するように用いられることで、ベルト部が角柱の角部で折れ曲がりその部位で角柱に係止される状態となり、これにより物品落下防止用ベルトは強固に安定して取り付けられて、物品の荷崩れと落下を確実に防止する。
【考案の効果】
【０００９】  この考案によれば、ラック上等からの物品の落下を防止できる物品落下防止用ベルトの取付けが容易に行えるようになる。
【図面の簡単な説明】
【００１０】
【図１】  この考案の物品落下防止用ベルトの前面図
【図２】  この考案の物品落下防止用ベルトの取り付け部材の外観斜視図
【図３】  この考案の物品落下防止用ベルトの取り付け部材の背面図
【図４】  この考案の物品落下防止用ベルトの使用説明図
【図５】  この考案の物品落下防止用ベルトの使用状態図
【考案を実施するための形態】
【００１１】  図１はこの考案の物品落下防止用ベルト１の前面図であり、物品落下防止用ベルト１は布製のベルト部３と、ベルト部３の両端に付設される取り付け部材５それぞれとから構成される。ベルト部３の中間位置にはゴム製部材よりなる伸縮部６が設けられている。
【００１２】  図２は取り付け部材５の斜視図であり、取り付け部材５はプラスチックス製で一端側にベルト部３の挿通取り付け部７を備え、他端側に取り外し時に使用される指かけ部９が前側に傾斜して折れ曲がり状態に設けられている。取り付け部材５前面の中央には取り外し時に使用されるリング１１が取り付けられ、背面には、図３に示すように、縦方向にプレート状の２枚のマグネット１３が所定の間隔を置いて背面と面一となるように取り付けられている。ベルト部３は、その端部が取り付け部材５の挿通取り付け部７に挿通されて折り曲げられるとともにベルト部３の内面に固着されて取り付けられている。
【００１３】  図４、図５は物品落下防止用ベルト１の使用状態を示す。２０はラック（物品収納体）であり、物品落下防止用ベルト１はラック２０前部の両側の鉄製四角パイプよりなる角柱２１間に取り付けられて用いられている。その際、ベルト部１は弾力性を持つ伸縮部６を備えることでラック２０に緩みなく取り付けられる。物品落下防止用ベルト１は、取り付け部材５の背面のマグネット１３が角柱２１の内側面２１ａ（磁性体面）に吸着することで取り付けられる。取り付け部材５から延び出すベルト部３は、角柱２１の外側の２か所の角部２３それぞれを巻いて折れ曲がり状態で当接するように配置される。
【００１４】  上記のように物品落下防止用ベルト１が取り付けられることで、ラック２０上の物品は地震等で衝撃を受けた際にも、ベルト部３に当接保持されることで荷崩れが阻止され、作業通路のある前方に落下することが防止される。物品落下防止用ベルト１は取り付け部材５のマグネット１３が吸着して取り付けられることで、係止部が無い角柱２１に容易に取り付けられ、２枚のプレート状のマグネット１３が用いられていることで強力に吸着して安定して取り付けられる。また、取り付け部材５から延び出すベルト部３が角柱２１の外側の２か所の角部２３それぞれを巻いて折れ曲がり当接するように配置されていることで、その部位でベルト部３は角柱２１に係止される状態となり、これによって物品落下防止用ベルト１はより強固に安定して取り付けられ、物品の荷崩れと落下を確実に防止する。物品落下防止用ベルト１は、同様にしてラック２０の側面、背面に適宜用いられてもよい。
【００１５】  物品落下防止用ベルト１の取り外しは、取り付け部材５の指かけ部９もしくはリング１１に指をかけ引っ張ることで容易に行われる。また、指かけ部９に中指と薬指を指かけるとともに人差し指をリング１１にかけ引っ張ることで行う。指かけ部９とリング１１との両方に指をかけることで、大きな力によって容易に取り外せるとともに、取り外した後に取り付け部材５が手から離脱することがなくて、取り扱いが容易に行われる。
【符号の説明】
【００１６】１    物品落下防止用ベルト
３    ベルト部
５    取り付け部材
９    指かけ部
１１  リング
１３  マグネット
２０  ラック（物品収納体）
２１ａ  内側面（磁性体面）
【図１】
0003222425.tif 000003
【図２】
0003222425.tif 000004
【図３】
0003222425.tif 000005
【図４】
0003222425.tif 000006
【図５】
0003222425.tif 000007